(57)【要約】【課題】  自転車、自動二輪車、自動車などの車両の有料の駐車設備を、低コストで設置することを可能にする。【解決手段】  管理装置１とスマートフォン３との間で、自転車の駐車装置２の駐車ラック４に付したＱＲコード４３をデコードして得られる出力信号をやり取りすることによって、登録ユーザー認証を行うと共に、この登録ユーザーの課金口座と駐車装置との紐付けを行い、また登録ユーザーによる利用料金の精算が行われた場合には自転車の出庫を可能にする、自転車の一時預かりシステムとした。またゲート装置７２のＱＲコード７５を使用して、登録ユーザーによる利用料金の精算が行われた場合には自転車の駐車場７からの出庫を可能にする、自転車の一時預かりシステムとした。【選択図】図１
2019215838.tif 000002
【特許請求の範囲】
【請求項１】
車両の出庫制御手段を有する駐車装置と、前記出庫制御手段および登録ユーザーの携帯端末との間の通信手段を有する管理装置とを備えており、この管理装置は登録ユーザーの認証手段と利用料金の精算手段とを備えており、前記管理装置は前記認証手段により前記通信手段を用いて前記携帯端末との間で、前記駐車装置に関連付けた認証コードのカメラ画像をやり取りすることによって、登録ユーザー認証とこの登録ユーザーと前記駐車装置との紐付けとを行うものであり、前記管理装置は前記精算手段によりこの登録ユーザーの利用料金の精算がある場合に、前記出庫制御手段によって車両を出庫可能にするものである、車両の一時預かりシステム。
【請求項２】
車両の出庫制御手段を有する駐車場のゲート装置と、前記出庫制御手段および登録ユーザーの携帯端末との間の通信手段を有する管理装置とを備えており、この管理装置は登録ユーザーの認証手段と利用料金の精算手段とを備えており、前記管理装置は前記認証手段により前記通信手段を用いて前記携帯端末との間で、前記ゲート装置に関連付けた認証コードのカメラ画像をやり取りすることによって、登録ユーザー認証とこの登録ユーザーと前記ゲート装置との紐付けとを行うものであり、前記管理装置は前記精算手段によりこの登録ユーザーの利用料金の精算がある場合に、前記出庫制御手段によって車両を出庫可能にするものである、車両の一時預かりシステム。
【請求項３】
前記管理装置は、設定された時間内の駐車であれば前記精算手段による利用料金の課金を行うことなく、前記出庫制御手段によって車両を出庫可能にするものである、請求項１または請求項２に記載の車両の一時預かりシステム。
【請求項４】
前記認証コードにＱＲコード（登録商標）を用いる、請求項１または請求項２に記載の車両の一時預かりシステム。
【請求項５】
前記精算手段は登録ユーザーのクレジットカードを用いて利用料金の精算を行うものである、請求項１または請求項２に記載の車両の一時預かりシステム。
【請求項６】
出庫に際して、前記管理装置は前記認証手段により、前記通信手段を用いて前記携帯端末との間で前記駐車装置に関連付けた認証コードのカメラ画像をやり取りすることによって、登録ユーザー認証と駐車に係る紐付けがこの登録ユーザーとの間に為されていたこととを確認するものである、請求項１または請求項２に記載の車両の一時預かりシステム。
【請求項７】
出庫に際して、前記管理装置は前記通信手段を用いて、予め前記駐車装置に付しておいた識別符号を前記携帯端末から受信することによって、登録ユーザー認証とこの登録ユーザーと前記駐車装置との紐付けが為されていたことを確認するものである、請求項１に記載の車両の一時預かりシステム。
【請求項８】
出庫に際して、前記管理装置は前記通信手段を用いて、予め前記駐車場のゲート装置に付しておいた識別符号を前記携帯端末から受信することによって、登録ユーザー認証とこの登録ユーザーと前記駐車場のゲート装置との紐付けが為されていたことを確認するものである、請求項２に記載の車両の一時預かりシステム。
【請求項９】
前記駐車装置は個々に前記通信手段を備えているものである、請求項１に記載の車両の一時預かりシステム。
【請求項１０】
ペットの出庫制御手段を有する預かり装置と、出庫制御手段および登録ユーザーの携帯端末との間の通信手段を有する管理装置とを備えており、この管理装置は登録ユーザーの認証手段と利用料金の精算手段とを備えており、前記管理装置は認証手段により通信手段を用いて前記携帯端末との間で、前記預かり装置に関連付けた認証コードのカメラ画像をやり取りすることにより、登録ユーザー認証とこの登録ユーザーと前記預かり装置との紐付けとを行うものであり、前記管理装置は精算手段によりこの登録ユーザーの利用料金の精算がある場合に、前記出庫制御手段によってペットを出庫可能にするものである、ペットの一時預かりシステム。
【請求項１１】
前記管理装置は、別途設定されている月極のペットの一時預かりであれば前記精算手段による利用料金の課金を行うことなく、前記出庫制御手段によってペットを出庫可能にするものである、請求項１０に記載のペットの一時預かりシステム。
【請求項１２】
前記認証コードにＱＲコード（登録商標）を用いる、請求項１０に記載のペットの一時預かりシステム。
【請求項１３】
前記精算手段は登録ユーザーのクレジットカードを用いて利用料金の精算を行うものである、請求項１０に記載のペットの一時預かりシステム。
【請求項１４】
ペットの出庫に際して、前記管理装置は認証手段によって、通信手段を用いて前記携帯端末との間で前記預かり装置に関連付けた認証コードのカメラ画像をやり取りすることにより、登録ユーザー認証とこの登録ユーザーと前記預かり装置との紐付けが為されていたことを確認するものである、請求項１０に記載のペットの一時預かりシステム。
【請求項１５】
ペットの出庫に際して、前記管理装置は通信手段を用いて、予め前記預かり装置に付しておいた識別符号を前記携帯端末から受信することにより、登録ユーザー認証とこの登録ユーザーと前記預かり装置との紐付けが為されていたことを確認するものである、請求項１０に記載の車両の一時預かりシステム。
【発明の詳細な説明】
【技術分野】
【０００１】  この発明は、自転車、自動二輪車、自動車などの車両の駐車設備、および犬や猫などのペットの一時預かり設備に係り、低コストで設置することが出来るものに関する。ペットの一時預かり設備の詳細に関しては後述する。
【背景技術】
【０００２】  駐車場に於ける車両の一時預かりサービスを自動化して管理者の無人化を計り、省力化やコストダウンを実現するためには、駐車装置に施錠装置を設けると共に利用料金の精算装置を設けることが必須となる。この利用料金の精算装置は概して大型であり、設置には大きなコストが掛かる。【０００３】  例えば特開２００５−１８０１６１の駐車設備には精算装置としての操作盤が設けられている。この操作盤のコイン投入口にコインを投入して（コイン投入の代わりにプリペイドカードの使用も可能としている）精算し、テンキーによって駐車台番号を指定すると、この情報は制御装置へと伝達され、制御装置は精算を確認し駐車台番号を確認して、通信ケーブルを通じて施錠装置のソレノイドに通電し、この駐車台に駐車されている自転車の前輪を開放して、出庫可能な状態にする。なお発券機はプリペイドカードを発行するためのものであるが、この他にはコイン（硬貨）による精算を可能としている。また入出力部では釣銭を取り扱うことが出来る。【０００４】  また例えば特開２００５−３３９４５２の料金精算装置は、立設された支柱の回りがこの支柱に取り付けられた筒状の外壁でカバーされており、この筒状外壁の内部に料金精算装置を構成する各機能ブロックが位置取り自在に積み上げて納められており、前記筒状の外壁は前記機能ブロック毎に上下方向に分離可能に設けられている料金精算装置である。この機能ブロックとしては、例えばコイン投入口とコイン計数機のブロック、釣銭払戻機のブロック、カード受入口とカード読取機のブロック、テンキーボードと各種スイッチのブロック等々が任意に準備される。この構成により細長い筒状の筐体を積み上げて場所を取ることなくスッキリと設置することが出来る。
【先行技術文献】
【特許文献】
【０００５】
【特許文献１】特開２００５−１８０１６１
【特許文献２】特開２００５−３３９４５２
【発明の概要】
【発明が解決しようとする課題】
【０００６】  しかしながら特開２００５−１８０１６１の精算装置も特開２００５−３３９４５２の料金精算装置も、単にサイズが大きいと言うだけでなく製造・設置・管理の各段階に於いて多大なコストが掛かっている。仮にこのような精算装置が不要になるのであれば、駐車場の設置コストが極めて小さいものとなるであろう。そうであれば駐車場設置の自由度もより一層高まることが期待される。【０００７】  この発明では上述したような問題を解決して、自転車、自動二輪車、自動車などの車両のための、課金を伴う駐車設備を低コストで設置することを可能にしたい。
【課題を解決するための手段】
【０００８】  上記の課題は、車両の出庫制御手段を有する駐車装置と、前記出庫制御手段および登録ユーザーの携帯端末との間の通信手段を有する管理装置とを備えており、この管理装置は登録ユーザーの認証手段と利用料金の精算手段とを備えており、前記管理装置は前記認証手段により前記通信手段を用いて前記携帯端末との間で、前記駐車装置に関連付けた認証コードのカメラ画像をやり取りすることによって、登録ユーザー認証とこの登録ユーザーと前記駐車装置との紐付けとを行うものであり、前記管理装置は前記精算手段によりこの登録ユーザーの利用料金の精算がある場合に、前記出庫制御手段によって車両を出庫可能にするものである、車両の一時預かりシステムを提供することにより解決される。【０００９】  駐車装置は自転車、自動二輪車、自動車などの車両の違いによって専用のものが用意され、それぞれに車両の出庫制御手段が設けられる。出庫制御手段は主に遠隔操作が可能な電動式のロック機構であって、電動モータやソレノイドなどが施錠開錠を司る。なお施錠はユーザーによる手動であるが開錠は電動であると言うような設計もあり得る。【００１０】  管理装置は例えば複数の駐車場を束ねるサーバのような位置づけであり、駐車場の出庫制御手段とは通信手段としての専用線やインターネットなどのネットワークを介して接続される。ユーザーの携帯端末の現在の主流はスマートフォンであり、このため電話局との無線通信を介したインターネット接続によって上記管理装置に接続すると言う設計が一般的である。このような通信手段を用いて管理装置は駐車場の主として出庫制御手段を制御する。【００１１】  管理装置は利用料金の精算手段を備えている。この精算手段の一例としてはユーザーのクレジットカードの決済端末であり、クレジットカード会社のサーバとの接続が確保されている。この他デビットカードを取り扱う銀行と接続したり、仮想通貨を取り扱う交換所と接続したりするような設計も可能である。精算手段がクレジットカードの決済端末である場合には、精算手段はユーザー登録の中でユーザーが決済手段とするクレジットカードを予め登録しておく必要があることは言うまでもない。【００１２】  管理装置の登録ユーザーの認証手段は、ユーザーの携帯端末に固有の識別符号を取得してユーザー認証を行うことが出来る。また二重認証として、ユーザーの携帯端末から入力される暗証番号やユーザーの指紋やユーザーの顔写真などを使用する設計も可能である。このような中で、この発明ではユーザーが只今利用しようとしている駐車装置に付されている認証コードを、ユーザーの携帯端末のカメラで撮影し、このカメラ画像を管理装置が受信することで、登録ユーザーと駐車装置との紐付けとを行うことが出来る。従って管理装置は、ユーザーの携帯端末とユーザーの決済口座と駐車場の駐車装置とを紐付けて記録しておくことが出来る。【００１３】  上記認証コードにＱＲコード（登録商標）を用いることが出来る。ＱＲコード（登録商標）は広く利用されており、データ復元力の強いコードである。カメラ画像はデコードすることで認証符号が出力される。このデコードはユーザーの携帯端末側で行っても良いし管理装置側で行っても良い。すなわち携帯端末と管理装置とのどちらがデコーダを備えるかは自由である。【００１４】  なお上記ではユーザーが只今利用しようとしている駐車装置に付されている認証コードを、ユーザーの携帯端末のカメラで撮影して、このカメラ画像を管理装置が受信することで、登録ユーザーと駐車装置との紐付けとを行う例を上げた。これとは異なり管理装置がユーザーの携帯端末に送って表示させた認証コードを、駐車装置に設けたカメラで撮影して、このカメラ画像を管理装置が登録ユーザーと駐車装置との紐付けに用いるような設計も可能である。また後述するような車両を駐車させた駐車装置の特定に付き、駐車装置に付した台番号をユーザーの携帯端末のキーパッドから入力させる設計も可能である。【００１５】  ユーザーによってこの駐車装置に駐車され、例えば電動式のロック機構により出庫不能に捕捉されている車両であるが、入庫時に前記精算手段による利用料金の精算が済んでいることを管理装置が確認している場合に、またはユーザーがこの車両を出庫させたいとして前記精算手段によって利用料金の精算が行われたことを管理装置が確認した場合には、出庫制御手段は出庫時に電動式のロック機構を開錠して車両を出庫可能にする。すなわち課金は入庫時（駐車時）に行うようにしても出庫時に行うようにしても良い。そして出庫時に行う場合には、管理装置は認証手段により、通信手段を用いて携帯端末との間で駐車装置に関連付けた認証コードのカメラ画像をやり取りすることにより、登録ユーザー認証とこの登録ユーザーと駐車装置との紐付けが為されていたことを確認するなどすれば良い分けである。【００１６】  なお出庫に際しては、管理装置は通信手段を用いて、予め駐車装置に付しておいた識別符号を携帯端末から受信することによって、登録ユーザー認証とこの登録ユーザーと駐車装置との紐付けが為されていたことと、を確認するものとすることが出来る。この場合の識別符号とは、例えば駐車装置の台番号である。【００１７】  ところで登録ユーザーとその課金口座と駐車装置とを紐付けするのに、登録ユーザーの携帯端末側のカメラと駐車装置での認証コード表示や、駐車装置側のカメラと携帯端末での認証コード表示とを用いるのであれば、駐車装置から車両の出庫要求を出す際にも携帯端末を使用するのであるから、このための専用のアプリケーションソフトウェアを用意することは、ユーザーインターフェースの向上にも寄与する。なおアプリケーションソフトウェアを用いるのではなく、ＷＷＷ（Ｗｏｒｌｄ  Ｗｉｄｅ  Ｗｅｂ）を表示し得る携帯端末を用いる設計も可能である。【００１８】  また上記の課題は、車両の出庫制御手段を有する駐車場のゲート装置と、前記出庫制御手段および登録ユーザーの携帯端末との間の通信手段を有する管理装置とを備えており、この管理装置は登録ユーザーの認証手段と利用料金の精算手段とを備えており、前記管理装置は前記認証手段により前記通信手段を用いて前記携帯端末との間で、前記ゲート装置に関連付けた認証コードのカメラ画像をやり取りすることによって、登録ユーザー認証とこの登録ユーザーと前記ゲート装置との紐付けとを行うものであり、前記管理装置は前記精算手段によりこの登録ユーザーの利用料金の精算がある場���に、前記出庫制御手段によって車両を出場すなわち出庫可能にするものである、車両の一時預かりシステムを提供することによって解決される。【００１９】  上述の請求項１のシステムは、ユーザーの車両が各個別の駐車装置に駐車され、電動式のロック機構などによって出庫不能に捕捉される仕組みであった。これに対して請求項２のシステムの特徴は、囲いで仕切った駐車場の出入口にゲート装置を設けて、ユーザーの車両は駐車場のどこにでも任意に駐車が可能であって良く、しかしゲート装置からの出場が制限される仕組みにある。【００２０】  駐車場のゲート装置に車両の出庫制御手段が設けられ、出庫制御手段は主に遠隔操作が可能な電動式のロック機構であって、電動モータやソレノイドなどが施錠開錠を司る。【００２１】  管理装置はこの駐車場のサーバであり、この駐車場に備えてあっても、駐車場から離れた場所にあっても良く、特に後者の場合は、駐車場の出庫制御手段とは通信手段としての専用線やインターネットなどのネットワークを介して接続される。このような通信手段を用いて、管理装置は駐車場の出庫制御手段を制御してゲート装置の開錠を行う。【００２２】  なお上記ではユーザーが只今利用している駐車場の出入り口のゲート装置に付されている認証コードを、ユーザーの携帯端末のカメラで撮影して、このカメラ画像を管理装置が受信することで、登録ユーザーと駐車装置との紐付けとを行う例を上げた。これとは異なり管理装置がユーザーの携帯端末に送って表示させた認証コードを、駐車場の出入り口のゲート装置に設けたカメラで撮影して、このカメラ画像を管理装置が登録ユーザーと駐車装置との紐付けに用いるような設計も可能である。【００２３】  入庫時に前記精算手段による利用料金の精算が済んでいることを管理装置が確認している場合に、またはユーザーが自己の車両を出庫させたいとして前記精算手段によって利用料金の精算が行われたことを管理装置が確認した場合に、出庫制御手段は駐車場の出入り口のゲート装置に付いて、例えば電動式のゲートを開放して車両を出庫可能にする。すなわち駐車場の内であればユーザーは車両の移動が自由に行えるが、駐車場の外に出したい場合にのみ利用料金の精算があることが要求されるのである。このように、課金は入庫時（駐車時）に行うようにしても出庫時に行うようにしても良い。そして出庫時に行う場合には、管理装置は認証手段により、通信手段を用いて携帯端末との間で駐車場に関連付けた認証コードのカメラ画像をやり取りすることにより、登録ユーザー認証とこの登録ユーザーと駐車装置との紐付けが為されていたことの確認などを行えば良い分けである。出庫制御手段は最低１箇所または所要数個所のゲート装置にのみ設ければ良いから、出庫制御手段を各々個別の駐車装置に設ける必要がある請求項１のシステムよりも経済的である。また管理装置に付いても同様のことが言える。この他、認証コードにＱＲコード（登録商標）を用いて良いことなどは請求項１のシステムに倣う。【００２４】  なお上述したように、課金は出庫時に行うようにしても入庫時（駐車時）に行うようにしても良い。出庫時に課金を行う一例として、時間貸しではなく１回の利用に付いて利用料金を徴収する場���を上げる。また出入口の通路は、ユーザー（人）と自転車とで共通のものとしても、或いは別々に設けるようにしても良い。回転扉の場合は共通のものとする方が使い勝手が良い。また自転車をコンベアを用いて自動的に先に進ませるような構成としても良い。【００２５】  なお出庫制御手段が車両を出庫可能にすることだけを見れば、入庫時のみならず出庫に際しても、管理装置は予め前記駐車場のゲート装置に付しておいた識別符号を通信手段を用いて携帯端末から受信することによって、登録ユーザー認証とこの登録ユーザーと駐車場のゲート装置との紐付けが為されていたこととを確認するものとすることが出来る。【００２６】  次に、前記管理装置は、設定された時間内の駐車であれば前記精算手段による利用料金の課金を行うことなく、前記出庫制御手段によって車両を出庫可能にするものとすることが出来る。例えば自転車の駐車場が商店街に設置されており、この商店街を利用してもらい易くすべく、１時間以内の駐車は無料であると設定するような使用法を想定している。管理装置や駐車場はこの駐車時間をタイマーによって、例えば通勤通学の長時間の駐車と区別するのである。【００２７】  また駐車装置は個々に前記通信手段を備えているものとすることが出来る。例えば自転車の駐車装置である駐車ラックの一台一台が異なる通信部を有するように設計する。これによれば駐車ラック毎の稼働率などを把握することが可能であるため、ＩｏＴ（Ｉｎｔｅｒｎｅｔ  Ｔｏ  Ｔｈｉｎｇｓ）での活用により適したものとなる。しかしながら複数台の駐車ラックを島として、一つの島に一つの通信部を有するものや、駐車場の全体に対して一つの通信部を備えたものなどを、自由に設計して良い。【００２８】  ところで上述の発明は自転車、自動二輪車、自動車などの車両の駐車設備に係るものであるが、近年ではペット連れで自動車に乗って出掛けることも多く、宿泊にはペット同伴が可能な宿屋の予約が必須となっている。また出掛ける先がデパートやスポーツクラブであると、そもそもペットを連れて出掛けるのはなかなか難しい。この他にもペット連れの時に寄りたくなる店が出て来ることはままある。【００２９】  駐車場に於ける車両の一時預かりサービスを自動化すると共に、車両の有料の駐車設備を低コストで設置することは、上述の発明によって可能になった分けであるから、ペットを出先で手軽に一時預かりしてもらえるようなサービスがあれば、多くのペット愛好家のためになることは明白であるが、そのような技術はまだないのが現状である。【００３０】  そこで次にこの発明は、上述したような問題点を解決して、犬や猫などのペットのための、課金を伴う預かり設備（車両の駐車設備に相当、従ってペットに付いても入庫出庫と言う用語を用いる）を低コストで設置することを課題とする。【００３１】  上記の課題は、ペットの出庫制御手段を有する預かり装置と、出庫制御手段および登録ユーザーの携帯端末との間の通信手段を有する管理装置とを備えており、この管理装置は登録ユーザーの認証手段と利用料金の精算手段とを備えており、前記管理装置は認証手段により通信手段を用いて前記携帯端末との間で、前記預かり装置に関連付けた認証コードのカメラ画像をや���取りすることにより、登録ユーザー認証とこの登録ユーザーと前記預かり装置との紐付けとを行うものであり、前記管理装置は精算手段によってこの登録ユーザーの利用料金の精算がある場合に、前記出庫制御手段によってペットを出庫可能にするものである、ペットの一時預かりシステムとすることにより達成される。【００３２】  預かり装置は犬、猫などの種類の違いによって専用のものを用意することが好ましく、各々にペットの出庫制御手段が設けられる。出庫制御手段は主に遠隔操作が可能な電動式のロック機構であって、電動モータやソレノイドなどが施錠開錠を司る。なお施錠はユーザーによる手動であるが開錠は電動であると言うような設計もあり得る。【００３３】  管理装置は例えば複数の預かり装置を束ねるサーバのような位置づけであって、預かり装置の出庫制御手段とは通信手段としての専用線やインターネットなどのネットワークを介して接続される。ユーザーの携帯端末の現在の主流はスマートフォンであり、このため電話局との無線通信を介したインターネット接続によって上記管理装置に接続すると言う設計が一般的である。このような通信手段を用いて、管理装置は預かり装置の主に出庫制御手段を制御する。【００３４】  管理装置は利用料金の精算手段を備えている。この精算手段の一例としてはユーザーのクレジットカードの決済端末であり、クレジットカード会社のサーバとの接続が確保されている。この他デビットカードを取り扱う銀行と接続したり、仮想通貨を取り扱う交換所と接続したりするような設計も可能である。精算手段がクレジットカードの決済端末である場合には、精算手段はユーザー登録の中でユーザーが決済手段とするクレジットカードを予め登録しておく必要があることは言うまでもない。【００３５】  管理装置の登録ユーザーの認証手段は、ユーザーの携帯端末に固有の識別符号を取得してユーザー認証を行うことが出来る。また二重認証として、ユーザーの携帯端末から入力される暗証番号やユーザーの指紋やユーザーの顔写真などを使用する設計も可能である。このような中で、この発明ではユーザーが只今利用しようとしている預かり装置に付されている認証コードを、ユーザーの携帯端末のカメラで撮影し、このカメラ画像を管理装置が受信することで、登録ユーザーと預かり装置との紐付けとを行うことが出来る。従って管理装置は、ユーザーの携帯端末とユーザーの決済口座と預かり装置とを紐付けて記録しておくことが出来る。【００３６】  上記認証コードにＱＲコード（登録商標）を用いることが出来る。ＱＲコード（登録商標）は広く利用されており、データ復元力の強いコードである。カメラ画像はデコードすることで認証符号が出力される。このデコードはユーザーの携帯端末側で行っても良いし管理装置側で行っても良い。すなわち携帯端末と管理装置とのどちらがデコーダを備えるかは自由である。【００３７】  なお上ではユーザーが只今利用しようとしている預かり装置に付されている認証コードを、ユーザーの携帯端末のカメラで撮影して、このカメラ画像を管理装置が受信することで、登録ユーザーと駐車装置との紐付けとを行う例を説明した。これとは異なり管理装置がユーザーの携帯端末側に送って表示させた認���コードを、預かり装置側のカメラで撮影して、このカメラ画像を管理装置が登録ユーザーと預かり装置との紐付けに用いるような設計も可能である。またペットを預け入れた預かり装置の特定に付き、預かり装置に付した個室番号をユーザーの携帯端末のキーパッドから入力させると言う設計も可能である。【００３８】  ユーザーによってこの預かり装置に預け入れられ、例えば電動式のロック機構によって出庫不能にされているペットであるが、ユーザーがこのペットを受け出したい、すなわち出庫させたいとする場合は次のようになる。入庫時に前記精算手段による利用料金の精算が済んでいることを管理装置が確認している場合に、またはユーザーが自己の車両を出庫させたいとして前記精算手段によって利用料金の精算が行われたことを管理装置が確認した場合には、出庫制御手段は電動式のロック機構を開錠する。このように利用料金の課金は、出庫時（ペットを飼い主に戻す際）に行うようにしても入庫時（ペットを預かる際）に行うようにしても良い。出庫時に課金を行う一例として、時間貸しではなく１回の利用に付き利用料金を徴収する場合を上げる。そして出庫時に行う場合には、管理装置は認証手段によって、通信手段を用いて携帯端末との間で預かり装置に関連付けた認証コードのカメラ画像をやり取りすることにより、登録ユーザー認証と、この登録ユーザーと預かり装置との紐付けが為されていたこととを確認するなどすれば良い分けである。【００３９】  ところで登録ユーザーとその課金口座と預かり装置とを紐付けするのに、登録ユーザーの携帯端末側のカメラと駐車装置での認証コード表示や、預かり装置側のカメラと携帯端末での認証コード表示とを用いるのであれば、預かり装置からペットの出庫要求を出す際にも携帯端末を使用するのであるから、このための専用のアプリケーションソフトウェアを用意することはユーザーインターフェースの向上にも寄与する。なおアプリケーションソフトウェアを用いるのではなく、ＷＷＷ（Ｗｏｒｌｄ  Ｗｉｄｅ  Ｗｅｂ）を表示し得る携帯端末を用いる設計も可能である。【００４０】  次に前記管理装置は、別途設定されている月極のペットの一時預かりであれば前記精算手段による利用料金の課金を行うことなく、前記出庫制御手段によってペットを出庫可能にするものとすることが出来る。月極であるから月に何度利用しても良いと言うことである。なお犬や猫などのペットのための預かり設備を商店街などに設置する場合のように、設定された時間内での利用であれば精算手段による利用料金の課金を行うことなく、出庫制御手段によってペットを出庫可能に設定することが出来る。例えばこの商店街を利用してもらい易くすべく、１時間以内のペット預かりは無料であると設定するような使用法を想定している。預かり時間はタイマーを用いるなどして計測することが出来る。【００４１】  なお出庫制御手段がペットを出庫可能にすることだけを見れば、入庫時のみならず出庫に際しても、管理装置は予め預かり装置に付しておいた識別符号を通信手段を用いて携帯端末から受信することによって、登録ユーザー認証とこの登録ユーザーと預かり装置との紐付けが為されていたこととを確認するものとすることが出来る。この場合の���別符号とは、例えばペットが入る個室の部屋番号である。【００４２】  この発明のペットの一時預かりシステムによれば、システムを低コストで導入することが出来るメリットがある。一方でペットの一時預かりサービスを自動化して管理者の無人化や省力化が実現出来る。有人の場合には、水やりや餌やりのオプション或いは見回りのオプションと言ったものを提供することが可能である。
【発明の効果】
【００４３】  この発明の車両の一時預かりシステムは、管理装置と携帯端末との間で駐車装置の認証コードをやり取りすることにより、登録ユーザー認証と、この登録ユーザーおよび駐車装置の紐付けと、を行うようにして、登録ユーザーによる利用料金の精算が行われた場合に車両を出庫可能にするようにした点に特徴を有する。この結果自転車、自動二輪車、自動車などの車両の有料の駐車設備を低コストで設置することが出来ると言う効果を奏して、所期目的を達成することが出来た。【００４４】  またこの発明のペットの一時預かりシステムは、管理装置と携帯端末との間でペットの預かり装置の認証コードをやり取りすることによって、登録ユーザー認証とこの登録ユーザーおよび預かり装置の紐付けとを行うようにして、登録ユーザーによる利用料金の精算が行われた場合にペットを出庫可能にするようにした点に特徴を有する。この結果犬猫などのペットの有料の預かり設備を低コストで設置することが出来ると言う効果を奏して、所期目的を達成することが出来た。
【図面の簡単な説明】
【００４５】
【図１】  実施例１の車両の一時預かりシステムの説明図である。
【図２】  駐車ラック４と出庫制御部２１の説明図である。
【図３】  課金口座が認証された登録ユーザーと駐車装置との紐付けの説明図である。
【図４】  駐車ラックでの駐車時の処理工程の説明図である。
【図５】  管理装置とスマートフォンとによる課金処理と開錠処理の説明図である。
【図６】  実施例２のスマートフォンの表示画面３３の説明図である。
【図７】  実施例３の課金時の処理工程の説明図である。
【図８】  実施例４の車両の一時預かりシステムの説明図である。
【図９】  駐車場７の説明図である。
【図１０】  駐車場７での入場時と出場字との処理工程の説明図である。
【図１１】  管理装置とスマートフォンとによる課金処理と開錠処理の説明図である。
【図１２】  実施例５のペット犬の一時預かりシステムの説明図である。
【図１３】  個室４００と扉開閉制御部２２０の説明図である。
【図１４】  課金口座が認証された登録ユーザーとドッグルームとの紐付けの説明図である。
【図１５】  ドッグルームでの個室入室時の処理工程の説明図である。
【図１６】  管理装置とスマートフォンとによる課金処理と開錠処理の説明図である。
【図１７】  実施例６のスマートフォンの表示画面３４０の説明図である。
【図１８】  実施例７の課金時の処理工程の説明図である。
【発明を実施するための形態】
【００４６】  以下では、自転車の一時預かりサービスおよびペットの犬の一時預かりサービスを例に上げて、この発明の７種の実施例を説明するが、この発明はこれ等の実施例にのみ限定されるものではない。
【実施例１】
【００４７】  図１乃至図５を用いてこの実施例を説明する。この一時預かりシステムは、駐車装置２とこの管理装置１と、駐車装置２のユーザーが所有するスマートフォン３とから構成される。自転車の駐車場２３には複数台の駐車ラック４が並んで設置されている。管理装置１は通信部１０により専用線でインターネットプロバイダを介してインターネットＮに常時接続されている。駐車装置２は、通信部２０の主要部分が、加入者を特定するためのＩＤ番号が記録されたＩＣカードであるＳＩＭ（Ｓｕｂｓｃｒｉｂｅｒ  Ｉｄｅｎｔｉｔｙ  Ｍｏｄｕｌｅ  Ｃａｒｄ）カード４４であり、これを介して無線で携帯電話網の基地局Ｃ２からインターネットＮに接続されている。なおこの実施例では駐車ラック４の一台一台が上記ＳＩＭカード４４を有している。スマートフォン３は携帯電話機であって、通信部３０の図示しないＳＩＭカードによって最寄りの基地局Ｃ３からインターネットＮに接続されている。【００４８】  管理装置１はこの他、登録ユーザーがスマートフォンにインストールしてあるこの一時預かりサービス専用のアプリ（Ａｐｐｌｉｃａｔｉｏｎ  Ｓｏｆｔｗａｒｅ）により接続して来た際にユーザー認証を行う認証部１１と、この登録ユーザーに係る一時預かりサービスの利用料金の精算を行う精算部１２とを備えている。認証部１１にはユーザーの氏名や連絡先などがユーザー固有の識別符号と共に事前に登録されていることになっている。認証部１１は登録ユーザーであることを確認し、以降の処理を継続する。しかしながら登録ユーザーでない場合には管理装置１はユーザー登録サービスに誘導する。精算部１２は与信確認や一時預かりサービス利用料金の課金のために、図示しないカード会社の決済サーバと通信することが出来るようになっている。【００４９】  スマートフォン３は通信部３０の他、管理装置１の認証部１１と通信するための認証部３１と、駐車ラック４の一台一台に割り振られた固有値をエンコードして成るＱＲコード（登録商標）４３の撮影のための撮影部３２とを備えている。撮影部３２はまた撮影映像からＱＲコード（登録商標）４３をデコードする。これを通信部３０を介して管理装置１に送信すると、管理装置１は登録ユーザーと登録ユーザーが使用中の駐車ラック４とを紐付けする。このことを図３で模式的に表す。【００５０】  駐車装置２は通信部２０の他、出庫制御部２１と認証コード２２とを備える。この認証コード２２の内容はＱＲコード（登録商標）４３の内容と同一であるが、管理装置１から参照されるような場合に備えて、図示しない記憶装置に記録されている。この駐車装置２は駐車ラック４に内蔵されている。駐車ラック４は、図３では４−１、４−２，４−３の３台が表されている。駐車ラック４は自転車の車輪導入路４０の先端部分に施錠装置４１を有している。また駐車ラック４には車輪導入路４０を横切るようにしてロックバー４２が設けられている。ユーザーが自転車をその前輪Ｔから車輪導入路４０に進入させて施錠装置４１まで送ると図示しない入庫センサがこのことを感知して、出庫制御部２１が自転車の前輪のスポーク間にロックバー４２を通して前輪Ｔを捕捉する。なお出庫時には出庫制御部２１が自転車の前輪Ｔを捕��しているロックバー４２を開放することになる。なおロックバー４２以外にも、例えば両側から車輪のリムに掛けるようにして自転車の前輪Ｔを捕捉したり、これとは逆方向に回動して前輪Ｔを開放したりする掛止手段なども任意に採用可能である。【００５１】  なお施錠装置４１の上面にはＱＲコード（登録商標）４３が付されている。これを登録ユーザーがスマートフォンの図示しないカメラで撮影するのである。なお駐車ラック４に自転車を駐車させた状態では施錠装置４１の上面のＱＲコード（登録商標）４３を撮影するのはやや難しいと言うのであれば、例えば施錠装置４１から上方に延ばして、自転車のハンドルを超えて車輪導入路４０の手前まで導いた支持棒の尖端部分にＱＲコード（登録商標）４３を付すなどの工夫をするとさらに良い。【００５２】  さて図４および図５を用いてこの実施例の一時預かりシステムの処理を説明する。まず駐車ラック４側の処理として、駐車ラック４に自転車が駐車したことが、図示しない入庫センサによって感知されたら（ステップＳ１）、出庫制御部２１が図示しないソレノイドに通電してロックバー４２を動作させ、これにより自転車の前輪Ｔを捕捉してロックする（ステップＳ２）。これでこの自転車は利用料金が支払われるまでは出庫させることが出来なくなる。なお別途、誤って駐車した、悪戯された、気が変わったと言うような場合に備えて、例えば３分以内であれば利用料金を支払わずとも出庫出来るような設定にすることも可能である。【００５３】  次に、自転車を駐車ラック４から出庫させるには、スマートフォン３が最寄りの基地局Ｃ３に接続した状態で（ステップＳ３）、スマートフォン３が一時預かりサービス専用のアプリを起動して、管理装置１との通信を開始したら（ステップＳ４）、管理装置１はこのユーザーを特定すると共にこのユーザーの課金口座を確認する（ステップＳ８）。登録ユーザーであることが確認されたら、ユーザーはスマートフォン３に内蔵されたデジタルカメラで、自転車を出庫させたいとする駐車ラック４に付されているＱＲコード（登録商標）４３を撮影する（ステップＳ５）。すると上記アプリはこの撮影画像からＱＲコード（登録商標）４３をデコードして（ステップＳ６）、この出力信号を管理装置１へ送信する（ステップＳ７）。管理装置１の側ではこの出力信号に対応する駐車ラック４を開錠するように駐車装置２の出庫制御部２１に指令を出すと共に（ステップＳ９）、ユーザーの課金口座に課金する（ステップＳ１０）。すなわち精算部１２はこの登録ユーザーに付いて、図示しないカード会社の決済サーバに所定の利用料金を課金する。なおステップＳ３からステップＳ７はスマートフォン３側の処理工程であり、ステップＳ８からステップＳ１０は管理装置１側の処理工程である。
【実施例２】
【００５４】  図６を用いてこの実施例を説明する。自転車の駐車ラック４からの出庫に際して、実施例１では駐車ラック４に付されているＱＲコード（登録商標）４３をデコードして管理装置１へ送信して、開錠して欲しい駐車ラック４を特定させ、上記紐付けを確認させるようにしていた。これに対し実施例２では、駐車ラック４に付した台番号により駐車ラック４を特定させるのである。【００５５】  すなわちこの専用アプリはスマートフォン３の表示画面３３にテンキー３４と入力表示窓３５と開錠ボタン３６とを表示し、ユーザーが駐車ラック４に付した図示しない台番号と同じ番号をテンキー３４を用いて入力したら、これを入力表示窓３５に表示して、ユーザーが入力誤りでないことを確認して開錠ボタン３６をタップしたら、この台番号を管理装置１へ送信するのである。【００５６】  この方式では駐車ラック４の特定にテンキー３４からの台番号の入力を用いているが、これを入力したユーザーの課金口座と駐車装置との紐付けの内の前二者の紐付け、すなわちこのユーザーが登録されているか、或いはどの登録ユーザーであるかの確認には、ここでは図示されていないＱＲコード（登録商標）による確認が必要である。
【実施例３】
【００５７】  図７を用いてこの実施例を説明する。例えば上記の駐車場２３が商店街に設置されており、この商店街を利用してもらい易くすべく、１時間以内の駐車は無料であると設定したとする。すなわち通勤通学の長時間の駐車と区別するのである。【００５８】  管理装置１は、駐車ラック４の開錠要求が為されたら（ステップＳ１１）、駐車装置２の出庫制御部２１に駐車時間をカウントさせておき（図示せず）、駐車時間が設定時間内か否かを判定し（ステップＳ１２）、設定時間内であればユーザーの課金口座に課金することなく駐車ラック４を開錠するが（ステップＳ１３）、設定時間を超えて駐車している場合にはユーザーの課金口座に課金して駐車ラック４を開錠する（ステップＳ１４）。
【実施例４】
【００５９】  図８乃至図１１を用いてこの実施例を説明する。この一時預かりシステムは、駐車装置２とこの管理装置１と、駐車装置２のユーザーが所有するスマートフォン３とから構成される。管理装置５は通信部５０により、専用線でプロバイダを介してインターネットＮに常時接続されている。また駐車装置６は、通信部６０の主要部分が加入者を特定するためのＩＤ番号が記録されたＩＣカードであるＳＩＭ（Ｓｕｂｓｃｒｉｂｅｒ  Ｉｄｅｎｔｉｔｙ  Ｍｏｄｕｌｅ  Ｃａｒｄ）カード７６であり、これを介して無線で携帯電話網の基地局Ｃ２からインターネットＮに接続されている。スマートフォン３は携帯電話機であり、通信部３０の図示しないＳＩＭカードによって最寄りの基地局Ｃ３からインターネットＮに接続される。【００６０】  管理装置５はこの他、登録ユーザーがスマートフォンにインストールしてあるこの一時預かりサービス専用のアプリ（Ａｐｐｌｉｃａｔｉｏｎ  Ｓｏｆｔｗａｒｅ）により接続して来た際にユーザー認証を行う認証部５１と、この登録ユーザーに係る一時預かりサービスの利用料金の精算を行う精算部５２とを備えている。認証部５１にはユーザーの氏名や連絡先などがユーザー固有の識別符号と共に事前に登録されていることになっている。認証部５１は登録ユーザーであることを確認し、以降の処理を継続する。しかしながら登録ユーザーでない場合には管理装置５はユーザー登録サービスに誘導する。精算部５２は与信確認や一時預かりサービス利用料金の課金のために、図示しないカード会社の決済サーバと通信することが出来るようになっている。【００６１】  スマートフォン３は通信部３０の他、管理装置５の認証部５１と通信するための認証部３１と、上述したゲート装置７２に割り振られた固有値をエンコードして成るＱＲコード（登録商標）７５の撮影のための撮影部３２とを備えている。撮影部３２はまた撮影映像からＱＲコード（登録商標）７５をデコードする。これを通信部３０を介して管理装置５に送信すると、管理装置５は登録ユーザーと登録ユーザーが使用中の駐車場７のゲート装置７２とを紐付けする。このことを図８で模式的に表す。【００６２】  駐車装置６は通信部６０の他、出庫制御部６１と認証コード６２とを備える。この認証コード６２の内容はＱＲコード（登録商標）７５の内容と同一であるが、管理装置５から参照されるような場合に備えて、図示しない記憶装置に記録されている。この駐車装置５はゲート装置７２に内蔵されている。図９で表すように外壁に囲まれた自転車の駐車場７には、複数台の駐車ラックから成る島７０が並んで設置されている。登録ユーザーは自己の自転車を何れの島７０の何れの駐車ラックに駐車させても良い。駐車場７の外壁は上記１箇所のゲート装置７２以外ではユーザーも自転車も通行することが出来ないように構成されている。【００６３】  ゲート装置７２は、図１０で表すように左右一対であり、この間の通路の幅はユーザーが自転車を押して通ることが出来る程度の距離に設定されている。左右のゲート装置７２には、図示しないモータで駆動される回動軸７３によって回動自在に設けられた門扉７４が、通路を塞ぎ得るように設けられている。図示しないモータは駐車装置６の出庫制御部６１に接続されている。このゲート装置７２は駐車場７に出入りする場合の共通通路となっており、入場の場合には左右の門扉７４は駐車場７の内側に向かって開いてユーザーと自転車との通行を可能にし、出場の場合には門扉７４は駐車場７の外側に向かって開くようになっている。【００６４】  左右一対のゲート装置７２は各々、自転車を押すユーザーの進行方向に付いて手前側の端部と奥側の端部とにＱＲコード（登録商標）７５が付されている。すなわち駐車場７へ入場の場合も出場の場合も、左右何れかのＱＲコード（登録商標）７５を、登録ユーザーがスマートフォンの図示しないカメラで撮影するのである。【００６５】  さて図１１を用いてこの実施例の一時預かりシステムの処理を説明する。先ず駐車場７への入場に付いて、スマートフォン３が最寄りの基地局Ｃ３に接続した状態で一時預かりサービス専用のアプリを起動して、管理装置５との通信を開始し、管理装置１はこのユーザーを特定すると共にこのユーザーの課金口座を確認する。この時点ではゲート装置７２の門扉７４は閉じたままの状態にある。そこでユーザーがスマートフォン３に内蔵されたデジタルカメラで、左右のゲート装置７２の何れかの側のＱＲコード（登録商標）７５を撮影すると、上記アプリはこの撮影画像からＱＲコード（登録商標）７５をデコードしてこの出力信号を管理装置５へ送信する。【００６６】  すると管理装置５の側では、この出力信号が正しい信号であることと、ユーザーと課金口座とを確認して（ステップＳ１５）、ゲート装置７２の門扉７４を開放するように駐車装置６の出庫制御部６１に指令を出して、門扉７４を開放する（ステップＳ１６）。登録ユーザーは自己の自転車を押してこの駐車場７に入場し、自転車を入庫させることが出来る。なお図示しないセンサがゲート装置７２に、自転車の通路に面して設けられており、ユーザーと自転車とがゲート装置７２を通過し終えたことを確認したら、ゲート装置７２の門扉７４を元の位置に戻ように動作する。【００６７】  次に駐車場７からの出場に付いて、管理装置５の側では、スマートフォン３から送信された上記出力信号を受けて、この出力信号が正しい信号であることと、ユーザーと課金口座とを確認して（ステップＳ１７）、ゲート装置７２の門扉７４を開放するように駐車装置６の出庫制御部６１に指令を出して、門扉７４を開放し（ステップＳ１８）、ユーザーの課金口座に課金する（ステップＳ１９）。すなわち精算部５２は、この登録ユーザーに付いて図示しないカード会社の決済サーバに所定の利用料金を課金する。このようにして登録ユーザーは自己の自転車を押してこの駐車場７を出場し、自転車を出庫させることが出来る。【００６８】  なお左右一対のゲート装置７２の間の通路の幅はユーザーが自転車を押して通ることが出来る幅である。すなわちこの通路はユーザーと自転車とが一緒に入って通行するものであるが、ユーザー用の通路と自転車用の通路との２つに分けて設けるようにしても良い。この場合上述した出庫制御部６１が開閉動作を行う門扉７４はこの何れに設けても良く、また両方に設けても良い。また上述した実施例では、ゲート装置７２を駐車場７の１箇所にしか設けず、これを駐車場７に��入りする場合の共通通路としていたが、入場と出場とでゲート装置を分けて設置するようにしても良い。或いはまた開閉動作を行う門扉７４ではなくて、回転扉とする設計も可能である。【００６９】  なお上述した自転車の一時預かりサービスに関係する４種の実施例では、課金は出庫時に行うように設計されていたが、課金を駐車時に行うような設計も可能である。
【実施例５】
【００７０】  図１２乃至図１７を用いてこの実施例を説明する。この一時預かりシステムはペットの預かり装置２００とこの管理装置１００と、預かり装置２００のユーザーが所有するスマートフォン３００とから構成される。ドッグルーム２５０には複数室の個室４００が並んで設置されている。管理装置１００は通信部１１０により専用線でインターネットプロバイダを介してインターネットＮに常時接続されている。預かり装置２００は通信部２１０が、加入者を特定するためのＩＤ番号が記録されたＩＣカードであるＳＩＭ（Ｓｕｂｓｃｒｉｂｅｒ  Ｉｄｅｎｔｉｔｙ  Ｍｏｄｕｌｅ  Ｃａｒｄ）カード（図示せず）を備えており、これを介して無線で携帯電話網の基地局Ｃ２からインターネットＮに接続されている。スマートフォン３００は携帯電話機であって、通信部３１０の図示しないＳＩＭカードによって最寄りの基地局Ｃ３からインターネットＮに接続されている。【００７１】  なお図１３に鎖線で表すように、上記個室４００が個々別々に、ＩＤ番号が記録されたＳＩＭカード４５０を備えており、これを以て預かり装置２００の通信部２１０の主要部分とする構成も可能である。各々のＳＩＭカードを介して無線で携帯電話網の基地局Ｃ２からインターネットＮに接続するのである。犬用や猫用のキャリーケースにＳＩＭを装着した通信装置を設けたものを上記構成の一例に上げる。このようなキャリーケースの複数個をドッグルーム内に平置きしたり積み上げて図１３のように整然と並べる使用法が考えられる。【００７２】  管理装置１００はこの他、登録ユーザーがスマートフォンにインストールしてあるこの一時預かりサービス専用のアプリ（Ａｐｐｌｉｃａｔｉｏｎ  Ｓｏｆｔｗａｒｅ）により接続して来た際にユーザー認証を行う認証部１２０と、この登録ユーザーに係る一時預かりサービスの利用料金の精算を行う精算部１３０とを備えている。認証部１２０にはユーザーの氏名や連絡先などがユーザー固有の識別符号と共に事前に登録されている。認証部１２０は登録ユーザーであることを確認し、以降の処理を継続する。しかしながら登録ユーザーでない場合には管理装置１００はユーザー登録サービスに誘導する。精算部１３０は与信確認や一時預かりサービス利用料金の課金のために、図示しないカード会社の決済サーバと通信することが出来るようになっている。【００７３】  スマートフォン３００は通信部３１０の他、管理装置１００の認証部１２０と通信するための認証部３２０と、上記個室４００の一室一室に割り振られた固有値をエンコードして成るＱＲコード（登録商標）４４０の撮影のための撮影部３３０とを備えている。撮影部３３０はまた撮影映像からＱＲコード（登録商標）４４０をデコードする。これを通信部３１０を介して管理装置１００に送信すると、管理装置１００は登録ユーザーと、登録ユーザーが使用中の個室４００とを紐付けする。このことを図１２で模式的に表す。【００７４】  預かり装置２００は通信部２１０の他にも、扉開閉制御部２２０と認証コード２３０とを備える。この認証コード２３０の内容はＱＲコード（登録商標）４４０の内容と同一であるが、管理装置１００から参照されるような場合に備えて図示しない記憶装置に記録されている。この預かり装置２００はドッグルーム２５０に内蔵されている。ドッグルーム２５０の個室４００は、図１３では４００−１〜４００−８の８台が、図１４では４００−１〜４００−３の３台が表されている。個室４００にはその前面に、ガラス窓４２０が填め込まれた個室扉４１０が開閉自在に設けられ、個室扉４１０の左縁中央部に図示しない施錠装置を内蔵した開閉レバー４３０が取り付けられている。ユーザーが個室扉４１０を閉じて開閉レバー４３０を個室４００の側に倒すと、図示しない入庫センサがこのことを感知して、扉開閉制御部２２０が施錠装置の図示しないソレノイドを動作させて、開閉レバー４３０が開かないようにロックする。なお出庫時には開閉レバー４３０を引き起こして個室扉４１０を開けることが出来るように、扉開閉制御部２２０が施錠装置を動作させることになる。なお開閉レバー４３０が開かないようにロックしたり、開くようにアンロックしたりするのに、上記ソレノイド以外にもステッピングモータなどを任意に採用することが出来る。【００７５】  なお個室扉４１０の左上に付された個室番号の下にはＱＲコード（登録商標）４４０が付されている。これを登録ユーザーがスマートフォン３００の図示しないカメラで撮影するのである。【００７６】  さて図１５および図１６を用いてこの実施例の一時預かりシステムの処理を説明する。まずドッグルーム２５０側の処理として、その個室４００に犬が入り個室扉４１０が閉じられて、開閉レバー４３０が個室４００の側に倒されたことが、図示しない入庫センサによって感知されたら（ステップＳ２０）、扉開閉制御部２２０が図示しないソレノイドに通電して開閉レバー４３０が開かないようにロックする（ステップＳ２１）。この時個室扉４１０のガラス窓４２０を透して愛犬の状態を確認することが可能である。これでこの犬は利用料金が支払われるまでは受け出し出庫することが出来ないのである。なお別途、誤って預け入れた、悪戯された、気が変わったと言うような場合に備えて、例えば３分以内であれば利用料金を支払わずとも犬を出庫出来るような設定を設けておくことも可能である。【００７７】  次に犬を個室４００から出庫させるには、スマートフォン３００が最寄りの基地局Ｃ３に接続した状態で（ステップＳ２２）、スマートフォン３００が一時預かりサービス専用のアプリを起動して管理装置１００との通信を開始したら（ステップＳ２３）、管理装置１００はこのユーザーを特定すると共にこのユーザーの課金口座を確認する（ステップＳ２７）。登録ユーザーであることが確認されたらユーザーはスマートフォン３００に内蔵された撮影部３３０であるカメラで、愛犬を出庫させたいとする個室扉４１０に付されているＱＲコード（登録商標）４４０を撮影する（ステップＳ２４）。すると上記アプリはこの撮影画像からＱＲコード（登録商標）４４０をデコードして（ステップＳ２５）、この出力信号を管理装置１００へ送信する（ステップＳ２６）。管理装置１００の側ではこの出力信号に対応する個室扉４１０を開錠するように個室４００の扉開閉制御部２２０に指令を出すと共に（ステップＳ２８）、このユーザーの課金口座に課金する（ステップＳ２９）。すなわち精算部１３０はこの登録ユーザーに付き、図示しないカード会社の決済サーバに所定の利用料金を課金する。なおステップＳ２２からステップＳ２６はスマートフォン３００側の処理工程であり、ステップＳ２７からステップＳ２９は管理装置１００側の処理工程である。
【実施例６】
【００７８】  図１７を用いてこの実施例を説明する。ドッグルーム２５０の個室４００からの出庫に際して、実施例５は個室４００に付されているＱＲコード（登録商標）４４０をデコードして管理装置１００へ送信し、開錠して欲しい個室４００を特定させ、上記紐付けを確認させるようにしていた。これに対し実施例６では、個室４００に付した台番号により個室４００を特定させるのである。【００７９】  すなわちこの専用アプリは、スマートフォン３００の表示画面３４０にテンキー３５０と入力表示窓３６０と開錠ボタン３７０とを表示し、個室扉４１０の左上に付されたＱＲコード（登録商標）４４０の下の個室番号と同じ番号をユーザーがテンキー３５０を用いて入力したら、これを入力表示窓３６０に表示してユーザーが入力誤りでないことを確認して開錠ボタン３７０をタップしたら、この個室番号を通信部３１０で管理装置１００へ送信するのである。【００８０】  この方式では個室４００の個室扉４１０の特定にテンキー３５０からの個室番号の入力を用いているが、これを入力したユーザーの課金口座と個室４００との紐付けの内の前二者の紐付け、すなわちこのユーザーが登録されているか、或いはどの登録ユーザーであるかの確認には、ここでは図示されていないＱＲコード（登録商標）による確認が必要なのである。
【実施例７】
【００８１】  図１８を用いてこの実施例を説明する。上記のドッグルーム２５０が月極の利用と一時的な利用とにサービスを分けている場合である。【００８２】  管理装置１００は、個室扉４１０の開錠要求が為されたら（ステップＳ３０）、預かり装置００２の扉開閉制御部２２０にこのユーザーのステータスを、すなわち月極サービスに加入しているか否かを判定し（ステップＳ３１）、月極サービスに加入している場合にはユーザーの課金口座に課金することなく個室扉４１０の開閉レバー４３０を開錠するが（ステップＳ３２）、月極サービスに加入していない場合にはユーザーの課金口座に課金して開閉レバー４３０を開錠する（ステップＳ３３）。【００８３】  この他、この発明は上記預かり装置２００に撮影部２４０を設けると共に、この撮影部２４０に係る図示しないデジタルカメラを各々の個室４００の中に設置するようにしても良い。このデジタルカメラで個室４００内のペット犬を撮影して、この撮影画像を通信部２１０を介してユーザーのスマートフォン３００に、その表示画面３４０に表示されるように送信することが出来るようになる。ユーザーは離れていても愛犬の状態を見ることが可能である。
【産業上の利用可能性】
【００８４】  複数台の駐車ラックの施錠開錠の制御などに、或いは駐車場のゲート装置の開閉制御などに、認証コードのカメラ画像をやり取りすることには産業上の利用可能性があると共に十分な価値が認められる。また複数室あるペット用の個室の施錠開錠の制御などに、認証コードのカメラ画像をやり取りすることには産業上の利用可能性があると共に十分な価値が認められる。
【符号の説明】
【００８５】１    管理装置
１０  通信部
１１  認証部
１２  精算部
２    駐車装置
２０  通信部
２１  出庫制御部
２２  認証コード
２３  駐車場
３    スマートフォン
３０  通信部
３１  認証部
３２  撮影部
３３  表示画面
３４  テンキー
３５  入力表示窓
３６  開錠ボタン
４    駐車ラック
４０  車輪導入路
４１  施錠装置
４２  ロックバー
４３  ＱＲコード（登録商標）
４４  ＳＩＭカード
５    管理装置
５０  通信部
５１  認証部
５２  精算部
６    駐車装置
６０  通信部
６１  出庫制御部
６２  認証コード
７    駐車場
７０  島
７１  管理室
７２  ゲート装置
７３  回動軸
７４  門扉
７５  ＱＲコード（登録商標）
７６  ＳＩＭカード
１００  管理装置
１１０  通信部
１２０  認証部
１３０  精算部
２００  預かり装置
２１０  通信部
２２０  扉開閉制御部
２３０  認証コード
２４０  撮影部
２５０  ドッグルーム
３００  スマートフォン
３１０  通信部
３２０  認証部
３３０  撮影部
３４０  表示画面
３５０  テンキー
３６０  入力表示窓
３７０  開錠ボタン
４００  個室
４１０  個室扉
４２０  ガラス窓
４３０  開閉レバー
４４０  ＱＲコード（登録商標）
４５０  ＳＩＭカード
Ｎ    インターネット
Ｃ２  基地局
Ｃ３  基地局
【図１】
2019215838.tif 000003
【図２】
2019215838.tif 000004
【図３】
2019215838.tif 000005
【図４】
2019215838.tif 000006
【図５】
2019215838.tif 000007
【図６】
2019215838.tif 000008
【図７】
2019215838.tif 000009
【図８】
2019215838.tif 000010
【図９】
2019215838.tif 000011
【図１０】
2019215838.tif 000012
【図１１】
2019215838.tif 000013
【図１２】
2019215838.tif 000014
【図１３】
2019215838.tif 000015
【図１４】
2019215838.tif 000016
【図１５】
2019215838.tif 000017
【図１６】
2019215838.tif 000018
【図１７】
2019215838.tif 000019
【図１８】
2019215838.tif 000020